(57)【要約】【課題】容器本体内の液体を最後まで良好に吸い上げることができるポンプ付き液体容器用容器本体を提供すること。【解決手段】容器本体１０は、液出口部１１を有する有底形状に成形され、胴部１３の下端１３ａが容器本体１０の中心線に垂直な平面上に存在し、底面部１４の下面一側部１４ａが、所要小さい面積を占めて胴部１３の近傍に存在するように胴部１３の下端１３ａと同一平面に形成され容器内で液溜り用凹部１５を占め、底面部１４の下面残余部分１４ｂが、大面積を占めて胴部１３の下端１３ａと同一平面よりも窪んでかつ下面一側部１４ａより離れるに従い窪み寸法が大きく形成され容器内で液溜り用凹部１５に向かって漸次傾斜下降し、下面残余部分の周縁部１７が、胴部１３の下端部１３ｂと折り返し状態に該下端部１２ｂの内側に重なり、胴部１３の下端１３ａと連接して形成されている。【選択図】図１
2018070164.tif 000002
【特許請求の範囲】
【請求項１】
上部に液出口部を有する有底形状に成形されたポンプ付き液体容器の容器本体であり、
胴部の下端が容器本体の中心線に垂直な平面上に存在し、
底面部の下面一側部が、
残余部分よりも所要小さい面積を占めて胴部の近傍に存在するように胴部の下端と同一平面に形成されていることにより、容器内では液溜り用凹部を占め、
前記底面部の下面残余部分が、
底面部の全面積のうちの大面積を占めて前記胴部の下端と同一平面よりも窪んでかつ前記下面一側部より離れるに従い窪み寸法が大きく形成され容器内で前記液溜り用凹部に向かって漸次傾斜下降しており、前記下面残余部分の周縁部が、前記胴部の下端部と折り返し状態に内側に重なり、前記胴部の下端と連接して形成されていることを特徴とするポンプ付き液体容器の容器本体。
【請求項２】
請求項１に記載のポンプ付き液体容器の容器本体と、汲み上げポンプと、を備え、
前記汲み上げポンプの汲み上げパイプの下端が前記液溜り用凹部に位置することを特徴とするポンプ付き液体容器。
【発明の詳細な説明】
【技術分野】
【０００１】
本発明は、ポンプ付き液体容器用容器本体およびポンプ付き液体容器に関する。
【背景技術】
【０００２】
従来、ポンプ付き液体容器は、容器本体と、容器本体の液出口部に装着されるポンプとを有し、ポンプを作動することにより、容器本体内に垂下する吸い上げパイプで容器本体内に貯留する液体を吸い上げ、吐出部から所定量の液体吐出するようになっている（例えば、特許文献１参照）。
【０００３】
容器本体内に貯留する液体が化粧水、清涼剤、薬剤、殺虫剤、防錆剤等の液体である場合には、ボディソープ、シャンプー、洗濯用洗剤、柔軟剤、食器洗い洗剤等の液体とは異なり、香料の発散、揮発成分の発散、有害液体の人体への付着防止等の観点から、液体がなくなっても詰め替えを行わず、容器本体内の液体は最後まで使い切ってからポンプ付き液体容器全体を廃棄している。
【先行技術文献】
【特許文献】
【０００４】
【特許文献１】特開２００７−２２３６４３号公報
【発明の概要】
【発明が解決しようとする課題】
【０００５】
しかしながら、特許文献１に記載された容器本体は、底面中央部が内向きに凸の隆起部を有して形成されているので、容器本体内の液体を最後まで使い切る前の段階になると、液体が隆起部の周囲の凹部に残ってしまうことになる。このため、吸い上げパイプが垂直に垂下されており、吸い上げパイプの下端が容器本体の底面中央部の隆起部の頂部に位置された構成では、隆起部の周囲の凹部に残る液体を吸い上げることができないという問題があった。
【０００６】
一方、特許文献１に記載された容器本体について、吸い上げパイプの下端が隆起部の周囲の凹部に位置するように、該吸い上げパイプが垂下された構成では、容器本体を傾けることで容器本体内の液体を最後まで使い切ることができる。しかし、これだと使い勝手が悪く、容器本体が不透明な樹脂で成形されている場合には、容器本体内の液体を最後まで使い切っているかどうか外部から視認することができないので、一般的には容器本体内の液体が吸い上げパイプの下端側に集まるように容器本体を傾けて容器本体内の液体を最後まで使い切ることは行われていないという問題があった。
【０００７】
本発明は、上述した問題に鑑みてなされたもので、容器本体内の液体を最後まで良好に吸い上げることができるポンプ付き液体容器用容器本体およびポンプ付き液体容器を提供することを目的としている。
【課題を解決するための手段】
【０００８】
本発明に係るポンプ付き液体容器用容器本体は、上記課題を解決するため、上部に液出口部を有する有底形状に成形されたポンプ付き液体容器の容器本体であり、胴部の下端が容器本体の中心線に垂直な平面上に存在し、底面部の下面一側部が、残余部分よりも所要小さい面積を占めて胴部の近傍に存在するように胴部の下端と同一平面に形成されていることにより、容器内では液溜り用凹部を占め、前記底面部の下面残余部分が、底面部の全面積のうちの大面積を占めて前記胴部の下端と同一平面よりも窪んでかつ前記下面一側部より離れるに従い窪み寸法が大きく形成され容器内で前記液溜り用凹部に向かって漸次傾斜下降しており、前記下面残余部分の周縁部が、前記胴部の下端部と折り返し状態に内側に重なり、前記胴部の下端と連接して形成されている構成である。
【０００９】
本発明に係るポンプ付き液体容器は、上記課題を解決するため、上記のポンプ付き液体容器の容器本体と、汲み上げポンプと、を備え、前記汲み上げポンプの汲み上げパイプの下端が前記液溜り用凹部に位置する構成である。
【００１０】
上記構成によれば、本発明に係るポンプ付き液体容器用容器本体およびポンプ付き液体容器は、容器外である底面部の下面一側部が、所要小さい面積を占めて胴部の近傍に存在するように胴部の下端と同一平面に形成されていることにより、容器内では液溜り用凹部を占める形状になっており、また、底面部の下面残余部分が、胴部の下端と同一平面よりも窪んでかつ前記の液溜り用凹部より離れるに従い窪み寸法が大きく形成され容器内で液溜り用凹部に向かって漸次傾斜下降した形状になっており、そして、底面部の胴部の下端と同一平面よりも窪んでいる部分の周縁部が、胴部の下端部と折り返し状態に内側に重なっているから、ここには液体が入り込まないようになっている。
【００１１】
したがって、上記構成によれば、ポンプ付き液体容器を水平面上に載置した状態で容器本体内の液体を使い切る前の段階になると、残り少ない液体が容器本体内の片側の液溜り用凹部に向かうように流れて溜まるので、容器本体内の液体を使い切る前の段階で容器本体を傾けなくても、液体を最後まで良好に吸い上げることができ、容器本体内の液体を使い切ることができる。
【発明の効果】
【００１２】
本発明によれば、容器本体内の液体を最後まで良好に吸い上げることができるポンプ付き液体容器用容器本体およびポンプ付き液体容器を提供することができる。
【図面の簡単な説明】
【００１３】
【図１】本発明の第１の実施の形態に係るポンプ付き液体容器を示す一部切り欠き断面とした正面図である。
【図２】本発明の第１の実施の形態に係るポンプ付き液体容器を示し、（ａ）図は一部縦断正面図、（ｂ）図は（ａ）図におけるIIｂ−IIｂ断面図、（ｃ）図は（ａ）図におけるIIｃ−IIｃ断面図、（ｄ）図は（ａ）図におけるIIｄ−IIｄ断面図である。
【図３】本発明の第２の実施の形態に係るポンプ付き液体容器の要部水平断面図である。
【発明を実施するための形態】
【００１４】
以下、本発明の実施の形態に係るポンプ付き液体容器用容器本体およびポンプ付き液体容器について図面を参照しつつ説明する。
【００１５】
［第１の実施の形態］
図１に示すように、本実施の形態に係るポンプ付き液体容器１は、ポンプ付き液体容器用容器本体（以下では、単に容器本体と称する。）１０と、汲み上げポンプ２０と、を備え、内部に化粧水、清涼剤、薬剤、殺虫剤、防錆剤等の液体Ｌが充填される。
【００１６】
汲み上げポンプ２０は、例えばシリンダ２１を有し、該シリンダ２１を容器本体１０の液出口部１１内に垂下し、該シリンダ２１の上部に備えられるキャップ状の取付部２２を液出口部１１に被せて取付部２２の内周面の雌ねじと液出口部１１の外周面の雄ねじとを螺合し、かつ液漏れを封じるように嵌合している。さらに一具体で詳細な構造については図示していないが、汲み上げポンプ２０は、例えば、シリンダ２１内に第１の逆止弁を有するピストンが収容され、シリンダ内の下部に第１の逆止弁とは互いに逆に開閉する第２の逆止弁を備え、シリンダより下方に吸い上げパイプ２３が垂下している。そして、汲み上げポンプ２０は、手押し部２４を押し込むことによりパイプロッド２５が下動し、パイプロッド２５の下動に連動してシリンダ内に収容されたピストンが下動し、この際、大気が適宜の開通する通路、例えばパイプロッド２５の外面の縦溝を通して容器内に導入されるとともに、第１の逆止弁が開いてシリンダのピストンの下側の空間内の液体がピストンの上側に流入する。手押し部２４の押し込みを解除すると、ピストンがばねの蓄勢復帰力により上動を開始し、手押し部２４も一体に複動を開始し、この際、第１の逆止弁が閉じかつ第２の逆止弁が開くことで、シリンダのピストンの下側の空間が負圧になり、この負圧で液体Ｌが第２の逆止弁を通りシリンダのピストンの下側の空間に吸い上げられる。次の手押し部２４を押し込むがあると、ピストンの下動で第２の逆止弁が閉じ、シリンダの下部空間内の液体が第１の逆止弁を通りピストンの上側に流入するから、パイプロッド２５内の流量オーバーの液体がパイプロッド２５を通り吐液部２６から吐出される。なお、この構成は、汲み上げポンプの汲み上げ原理の一例を示したもので、汲み上げポンプ２０は、この構成や原理に限定されない。汲み上げポンプ２０は、人力の作動部がプッシュ式構造のもの、またはトリガーを引く構造のものなどいずれであってもよい。
【００１７】
図１に示すように、容器本体１０は、上部に液出口部１１と、液出口部１１に連接され下方に向けて拡径する肩部１２と、肩部１２に連接する楕円筒状の胴部１３と、胴部１３に連接する底面部１４と、を有する有底容器である。
【００１８】
容器本体１０は、胴部１３の下端１３ａが容器本体１０の中心線に垂直な平面上に存在する構成であり、これにより、胴部１３の下端１３ａに対応する底面部分で安定した着座性を有する。
【００１９】
容器本体１０は、図２（ａ），（ｂ），（ｃ）に示すように、底面部１４の下面の一側部１４ａが、残余部分１４ｂよりも所要小さい面積を占めて胴部１３の近傍に存在するように胴部１３の下端１３ａと同一平面に形成されていることにより、容器内で液溜り用凹部１５を占めている。液溜り用凹部１５には、汲み上げポンプ２０の汲み上げパイプ２３の下端２３ａが位置される。
【００２０】
容器本体１０は、図２（ａ），（ｂ），（ｃ），（ｄ）に示すように、底面部１４の下面一側部１４ａを除く残余部分１４ｂが、底面部１４の全面積のうちの大面積を占めて胴部１３の下端１３ａと同一平面よりも窪んでかつ一側部１４ａより離れるに従い窪み寸法が大きく形成されていることにより、容器内で液溜り用凹部１５に向かって漸次傾斜下降している液流れ面１６となっている。
【００２１】
容器本体１０は、図２（ａ），（ｂ），（ｃ），（ｄ）に示すように、底面部１４の下面残余部分１４ｂの周縁部１７が、胴部１３の下端部１３ｂに重なり、胴部１３の下端１３ａと連接して形成されていることにより、周縁部１７と下端部１３ｂの重なり面には液体が入り込まないようになっている。
【００２２】
容器本体１０は、ポリエチレンテレフタレート（ＰＥＴ）、ポリプロピレン（ＰＰ）などの樹脂をダイレクトブロー成形されてなる。底面部１４を下方より視た残余部分１４ｂの窪みは、ダイレクトブロー成形の初期の膨張工程では、図２（ａ）の点線で示す膨張部分１４ｂ'を形成し、次いで、図示しない底面部の金型の一部を交換し、引き続き膨張圧力を加えた状態で前記の金型の一部を押し込むことにより、実線で示す残余部分１４ｂのように窪ませることで形成され、周縁部１７と下端部１３ｂとの重なりが生じた形状に成形される。
【００２３】
次に、本実施の形態に係る容器本体１０およびポンプ付き液体容器１の作用について説明する。
【００２４】
容器本体１０およびポンプ付き液体容器１は、容器外である底面部１４の上面一側部が液溜り用凹部１５を占める形状になっており、また、底面部１４の下面残余部分１４ｂに対応する上面部が、液溜り用凹部１５に向かって漸次傾斜下降した形状の液流れ面１６となっており、そして、周縁部１７が、胴部１３の下端部１３ｂと折り返し状態に該下端部の内側に重なっている。
【００２５】
したがって、ポンプ付き液体容器１を水平面上に載置した状態で容器本体１０内の液体を使い切る前の段階になると、液流れ面１６上に薄い層に形成される残り少ない液体が該液流れ面１６を液溜り用凹部１５に向かうように流れて溜まるので、容器本体１０内の液体を使い切る前の段階で容器本体１０を傾けなくても、液体を最後まで良好に吸い上げることができ、容器本体１０内の液体を使い切ることができる。
【００２６】
［第２の実施の形態］
図３は、本発明の第２の実施の形態に係るポンプ付き液体容器の要部水平断面図である。
この実施の形態に係るポンプ付き液体容器は、容器本体１０Ａの胴部１３Ａが円筒形であり、底面部の下面一側部が容器内では液溜り用凹部１５Ａを占めるように形成され、大面積の残余部分が胴部の近傍に存在するように胴部の下端と同一平面に形成されていることにより、前記底面部の下面残余部分が、容器内で液溜り用凹部１５に向かって漸次傾斜下降している液流れ面１６Ａとなっている。その他の構成は、第１の実施の形態に係るポンプ付き液体容器と同一であるので説明を省略する。作用・効果についても第１の実施の形態と同一であるので説明を省略する。
【００２７】
以上説明したように、本発明によれば、容器本体内の液体を最後まで良好に吸い上げることができるという効果を有し、ポンプ付き液体容器用容器本体およびポンプ付き液体容器の全般に有用である。
【符号の説明】
【００２８】
１  ポンプ付き液体容器
１０  容器本体
１１  液出口部
１３、１３Ａ  胴部
１３ａ  下端
１３ｂ  下端部
１４  底面部
１４ａ  下面一側部
１４ｂ  下面残余部分
１５、１５Ａ  液溜り用凹部
１６、１６Ａ  液流れ面
１７  周縁部
２０  汲み上げポンプ
２３  汲み上げパイプ
【図１】
2018070164.tif 000003
【図２】
2018070164.tif 000004
【図３】
2018070164.tif 000005